(57)【要約】【課題】バックアップ一次電池の交換時期を延ばすこと。【解決手段】商用電源又は乾電池等の一次電池（又は充電可能な二次電池）のいずれかである通常電源３１でモータであるステッピングモータ７を駆動させるとき、そのステッピングモータ７の回転による電力又はモータの電源供給ラインからの電力を充電可能な第２バックアップ電池であるバックアップ二次電池３７に充電し、通常電源３１からの電源供給がないとき、まずバックアップ二次電池３７から少なくとも設定情報を記憶保持するバックアップロジック３３への電源供給が行われるように切り替え、さらにこのバックアップ二次電池３７の電圧を監視し、該電圧が規定値以下になったときバックアップ一次電池３４からバックアップロジック３３への電源供給が行われるように切り替えるようにした。【選択図】図３
2008259315.tif 000002
【特許請求の範囲】
【請求項１】
少なくとも設定情報を記憶保持するバックアップロジックへの電源バックアップ装置であって、
通常電源で駆動するモータと、
前記通常電源からの電源供給がないとき前記バックアップロジックへ電源を供給する第１バックアップ電池と、
充電可能な第２バックアップ電池と、
前記モータの回転による電力又は前記モータの電源供給ラインからの電力を前記第２バックアップ電池に充電する充電回路とを備え、
前記通常電源からの電源供給がないとき、前記第２バックアップ電池からの電源供給が行われるように切り替えられ、前記第２バックアップ電池の電圧が規定値以下になったとき前記第１バックアップ電池からの電源供給が行われるように切り替えられる
ことを特徴とする電源バックアップ装置。
【請求項２】
前記通常電源からの電源供給がないとき、前記第２バックアップ電池からの電源供給が行われるように切り替える供給電源切替回路と、
前記第２バックアップ電池の電圧を監視し、該電圧が規定値以下になったとき前記第１バックアップ電池からの電源供給が行われるように切り替えるバックアップ電源監視回路とを備える
ことを特徴とする請求項１に記載の電源バックアップ装置。
【請求項３】
少なくとも設定情報を記憶保持するバックアップロジックへの電源バックアップ方法であって、
通常電源でモータを駆動させる工程と、
前記通常電源で駆動するモータの回転による電力又は前記モータの電源供給ラインからの電力を充電可能な第２バックアップ電池に充電する工程と、
前記通常電源からの電源供給がないとき、前記第２バックアップ電池からの電源供給が行われるように切り替える工程と、
前記第２バックアップ電池の電圧を監視し、該電圧が規定値以下になったとき第１バックアップ電池からの電源供給が行われるように切り替える工程とを有する
ことを特徴とする電源バックアップ方法。
【発明の詳細な説明】
【技術分野】
【０００１】
本発明は、携帯型あるいは可搬型の機器に適した電源バックアップ装置及び電源バックアップ方法に関する。
【背景技術】
【０００２】
従来より、携帯型あるいは可搬型の機器として、小型軽量のたとえばプリンタがある。このようなプリンタでは、たとえばメモリに予め記憶設定させておいた日付や時間等の日時情報、あるいは印字濃度等の印字情報が消えてしまうことがないように、バックアップ電池でバックアップされるようになっている。
【０００３】
ところで、このようなプリンタでは、商用電源への接続をせずにそのまま放置しておくと、バックアップ電池が消耗する。
【０００４】
この場合、そのまま放置しておくと、バックアップ電池からの電源供給が時間の経過とともに減少し、たとえばメモリに予め記憶設定させておいた日付や時間等の日時情報、あるいは印字濃度等の印字情報が消えてしまうことがある。この場合、バックアップ電池を交換し、日付や時間等の日時情報、あるいは印字濃度等の印字情報のメモリへの再設定記憶が必要となる。
【０００５】
このようなバックアップ電池の消耗による不具合を解消するようにしたものとして、特許文献１では、メイン電池とバックアップ電池とを有し、このメイン電池が抜かれたときにバックアップデバイスにこのバックアップ電池より電源を供給するようにした携帯通信端末において、バックアップ時間を計測するバックアップタイマーとこのバックアップ電池の電圧を検出する電圧検出手段とを設け、このバックアップタイマーがタイマー終了した時点でバックアップスイッチをシャットダウンするとともに、このバックアップタイマーがタイマー終了以前でもこのバックアップ電池の電圧が規定電圧以下となった時点でこのバックアップスイッチをシャットダウンするようにした携帯通信端末を提案している。
【特許文献１】特開２００５−１５９４７２号公報
【発明の開示】
【発明が解決しようとする課題】
【０００６】
上述した特許文献１に示されている携帯通信端末によれば、バックアップタイマーがタイマー終了した時点でバックアップスイッチをシャットダウンするとともに、このバックアップタイマーがタイマー終了以前でもこのバックアップ電池の電圧が規定電圧以下となった時点でこのバックアップスイッチをシャットダウンするようにしているので、バックアップ状態を保持できる時間を予め知ることができるようにするとともに、バックアップ電池の容量が無駄に消費されないようになっている。
【０００７】
ところが、このようなバックアップスイッチをシャットダウンすることで、バックアップ電池の容量が無駄に消費されないようする方法では、たとえばメモリに予め記憶設定させておいた日付や時間等の日時情報、あるいはアドレス等の情報が消えないようにバックアップ電池の電源が用いられているため、メイン電池を装着しないでそのまま放置しておくと、バックアップ電池が消耗してしまい、バックアップ電池の交換が早められてしまうという問題があった。
【０００８】
本発明は、このような状況に鑑みてなされたものであり、上記問題点を解決することができる電源バックアップ装置及び電源バックアップ方法を提供することを目的とする。
【課題を解決するための手段】
【０００９】
本発明の電源バックアップ装置は、少なくとも設定情報を記憶保持するバックアップロジックへの電源バックアップ装置であって、通常電源で駆動するモータと、前記通常電源からの電源供給がないとき前記バックアップロジックへ電源を供給する第１バックアップ電池と、充電可能な第２バックアップ電池と、前記モータの回転による電力又は前記モータの電源供給ラインからの電力を前記第２バックアップ電池に充電する充電回路とを備え、前記通常電源からの電源供給がないとき、前記第２バックアップ電池からの電源供給が行われるように切り替えられ、前記第２バックアップ電池の電圧が規定値以下になったとき前記第１バックアップ電池からの電源供給が行われるように切り替えられることを特徴とする。
また、前記通常電源からの電源供給がないとき、前記第２バックアップ電池からの電源供給が行われるように切り替える供給電源切替回路と、前記第２バックアップ電池の電圧を監視し、該電圧が規定値以下になったとき前記第１バックアップ電池からの電源供給が行われるように切り替えるバックアップ電源監視回路とを備えるようにすることができる。
本発明の電源バックアップ方法は、少なくとも設定情報を記憶保持するバックアップロジックへの電源バックアップ方法であって、通常電源でモータを駆動させる工程と、前記通常電源で駆動するモータの回転による電力又は前記モータの電源供給ラインからの電力を充電可能な第２バックアップ電池に充電する工程と、前記通常電源からの電源供給がないとき、前記第２バックアップ電池からの電源供給が行われるように切り替える工程と、前記第２バックアップ電池の電圧を監視し、該電圧が規定値以下になったとき第１バックアップ電池からの電源供給が行われるように切り替える工程とを有することを特徴とする。
本発明の電源バックアップ装置及び電源バックアップ方法では、通常電源でモータを駆動させるとき、そのモータの回転による電力又はモータの電源供給ラインからの電力を充電可能な第２バックアップ電池に充電し、通常電源からの電源供給がないとき、まず第２バックアップ電池から少なくとも設定情報を記憶保持するバックアップロジックへの電源供給が行われるように切り替え、さらにこの第２バックアップ電池の電圧を監視し、該電圧が規定値以下になったとき第１バックアップ電池からバックアップロジックへの電源供給が行われるように切り替える。
これにより、通常電源からの電源供給がないとき、モータの回転による電力又はモータの電源供給ラインからの電力が充電されている第２バックアップ電池による少なくとも設定情報を記憶保持するバックアップロジックへの電源供給が行われることから、その間、第１バックアップ電池の消耗を抑制できる。
【発明の効果】
【００１０】
本発明の電源バックアップ装置及び電源バックアップ方法によれば、モータの回転による電力又はモータの電源供給ラインからの電力が充電されている第２バックアップ電池による少なくとも設定情報を記憶保持するバックアップロジックへの電源供給が行われ、その間、第１バックアップ電池の消耗が抑制されるようにしたので、第１バックアップ電池の交換時期を延ばすことができる。
【発明を実施するための最良の形態】
【００１１】
本実施例では、商用電源又は乾電池等の一次電池（又は充電可能な二次電池）のいずれかである通常電源でモータを駆動させるとき、そのモータの回転による電力又はモータの電源供給ラインからの電力を充電可能な第２バックアップ電池に充電し、通常電源からの電源供給がないとき、まず第２バックアップ電池からの少なくとも設定情報を記憶保持するバックアップロジックへの電源供給が行われるように切り替え、さらにこの第２バックアップ電池の電圧を監視し、該電圧が規定値以下になったとき第１バックアップ電池からバックアップロジックへの電源供給が行われるように切り替えるようにした。
【００１２】
これにより、通常電源からの電源供給がないとき、モータの回転による電力又はモータの電源供給ラインからの電力が充電されている第２バックアップ電池による少なくとも設定情報を記憶保持するバックアップロジックへの電源供給が行われ、その間、第１バックアップ電池の消耗が抑制されることから、第１バックアップ電池の交換時期を延ばすことができる。
【実施例】
【００１３】
以下、本発明の実施例について説明する。図１は、本発明の電源バックアップ装置をラベルプリンタに適用した場合の一実施例を示す図である。
【００１４】
同図に示すラベルプリンタは、携帯型あるいは可搬型であり、たとえば印字面とは反対側に剥離可能な接着面を有した複数のラベル１を剥離可能に仮着している台紙２がロール状に巻回されたラベル連続体３を回転自在に支持する供給軸４と、ラベル１に印字を行う印字ヘッド５と、ラベル１を印字ヘッド５に押圧するプラテンローラ６と、ベルト８を介してプラテンローラ６に回転駆動力を与えるステッピングモータ７とを備えている。
【００１５】
また、同図に示すラベルプリンタは、台紙２及びラベル１を挟むように発光部９ａと受光部９ｂとを配し、印字すべきラベル１の基準位置となるラベル１のギャップ（ラベル１間の台紙２のみの部分）を検出するセンサ部である透過型の用紙検出センサ９と、印字ヘッド５による印字動作やステッピングモータ７による駆動等を制御する制御部１０と、各部に電源を供給する電源回路３０とを備えている。
【００１６】
なお、電源回路３０の詳細については後述する。また、用紙検出センサ９にあってはラベル１のギャップ（ラベル１間の台紙２のみの部分）以外にラベル１のエッジを検出するものであってもよく、さらには透過型に限らず、ラベル１又は台紙２に施された所定の位置検出用マークを検出する反射型のセンサであってもよい。
【００１７】
図２は、制御部１０の詳細について説明するための図である。
【００１８】
同図に示すように、制御部１０は、ＣＰＵ１１、ＲＯＭ１２、ＲＡＭ１３、モータ制御部１４、印字制御部１５、センサ制御部１６、電源入力回路１７、外部インタフェース１８、インタフェース１９を備えている。
【００１９】
ＣＰＵ１１は、ＲＯＭ１２に記憶されている制御プログラムに従って動作し、各部を制御する。ＲＯＭ１２には、ＣＰＵ１１の動作に必要な制御プログラム等が格納されている。ＲＡＭ１３には、印字すべき文字、図形、バーコード等の印字データが展開される。
【００２０】
モータ制御部１４は、ステッピングモータ７にパルス信号を供給し、ステッピングモータ７を駆動させる。印字制御部１５は、印字データに対応する制御信号を生成して印字ヘッド５に供給し、印字動作を行わせる。センサ制御部１６は、用紙検出センサ９の検出動作を制御するとともに、用紙検出センサ９からの検出結果を受け取り、ＣＰＵ１１に供給する。
【００２１】
電源入力回路１７は、電源回路３０からの電源を取り込む。外部インタフェース１８は、外部に接続されるホストコンピュータ等の機器との間でデータの送受信を行う。インタフェース１９は、入力部２０からの入力データを受け付けたり、モニタ２１へ表示のための信号を送出したりする。
【００２２】
図３は、電源回路３０の詳細について説明するための図である。
【００２３】
同図に示すように、電源回路３０は、通常電源３１、供給電源切替回路３２、バックアップロジック３３、バックアップ一次電池３４、切替スイッチ３５、バックアップ電源監視回路３６、バックアップ二次電池３７、充電回路３８を備えている。
【００２４】
通常電源３１は、商用電源又は乾電池等の一次電池（又は充電可能な二次電池）のいずれかである。
【００２５】
供給電源切替回路３２は、通常電源３１からの電源供給がある場合、通常電源３１からの電源をバックアップロジック３３に供給し、通常電源３１からの電源供給がない場合、バックアップ二次電池３７又はバックアップ一次電池３４からの電源をバックアップロジック３３に供給するように切り替える。
【００２６】
バックアップロジック３３は、たとえば予め設定しておいた日付や時間等の日時情報、あるいは印字濃度等の印字情報を記憶保持する回路である。
【００２７】
バックアップ一次電池３４は、単三電池又は単四電池等のように、電池が消耗した場合に交換可能な電池である。
【００２８】
切替スイッチ３５は、バックアップ二次電池３７又はバックアップ一次電池３４から供給電源切替回路３２への接続を切り替える。
【００２９】
バックアップ電源監視回路３６は、バックアップ二次電池３７の電圧を監視し、バックアップ二次電池３７の電圧が規定値以下となった時点でバックアップ一次電池３４からの電源供給に切り替えるように切替スイッチ３５を制御する。
【００３０】
バックアップ二次電池３７は、充電可能な電池である。充電回路３８は、ステッピングモータ７の回転による電力又はステッピングモータ７の電源供給ラインからの電力をバックアップ二次電池３７に充電する回路である。
【００３１】
次に、電源バックアップ方法について説明する。
【００３２】
まず、図４に示すように、通常電源３１からの電源供給がある場合（ステップＳ１）、供給電源切替回路３２により、通常電源３１からの電源がバックアップロジック３３に供給される（ステップＳ２）。
【００３３】
このとき、ステッピングモータ７が通常電源３１からの電源で駆動すると、充電回路３８により、ステッピングモータ７の回転による電力又はステッピングモータ７の電源供給ラインからの電力がバックアップ二次電池３７に充電される（ステップＳ３）。
【００３４】
これに対し、通常電源３１からの電源供給がない場合、すなわち、商用電源又は乾電池等の一次電池（又は充電可能な二次電池）からの電源供給がなくなると、まず切替スイッチ３５により、バックアップ二次電池３７からの電源が供給電源切替回路３２側へ供給されるように切り替えられる（ステップＳ４）。この場合、バックアップ一次電池３４からの電源供給は行われない。
【００３５】
ここで、バックアップ電源監視回路３６により、バックアップ二次電池３７の電圧が監視され（ステップＳ５）、バックアップ二次電池３７の電圧が規定値以下となったとき、バックアップ電源監視回路３６により切替スイッチ３５がバックアップ一次電池３４からの電源が供給電源切替回路３２側へ供給されるように切り替えられる（ステップＳ６）。
【００３６】
これにより、バックアップ二次電池３７からの電源供給が行われている間、バックアップ一次電池３４の電池の消耗が抑制されることになる。
【００３７】
このように、本実施例では、商用電源又は乾電池等の一次電池（又は充電可能な二次電池）のいずれかである通常電源３１でモータであるステッピングモータ７を駆動させるとき、そのステッピングモータ７の回転による電力又はモータの電源供給ラインからの電力を充電可能な第２バックアップ電池であるバックアップ二次電池３７に充電し、通常電源３１からの電源供給がないとき、まずバックアップ二次電池３７から少なくとも設定情報を記憶保持するバックアップロジック３３への電源供給が行われるように切り替え、さらにこのバックアップ二次電池３７の電圧を監視し、該電圧が規定値以下になったときバックアップ一次電池３４からバックアップロジック３３への電源供給が行われるように切り替えるようにした。
【００３８】
これにより、通常電源３１からの電源供給がないとき、ステッピングモータ７の回転による電力又はモータの電源供給ラインからの電力が充電されているバックアップ二次電池３７による少なくとも設定情報を記憶保持するバックアップロジック３３への電源供給が行われ、その間、バックアップ一次電池３４の電池の消耗が抑制されることから、バックアップ一次電池３４の交換時期を延ばすことができる。
【産業上の利用可能性】
【００３９】
ラベルプリンタに限らず、携帯電話、ビデオカメラ、デジカメ、携帯用パソコン、携帯用ゲーム機等のような他の機器にも適用可能である。
【図面の簡単な説明】
【００４０】
【図１】本発明の電源バックアップ装置をラベルプリンタに適用した場合の一実施例を示す図である。
【図２】図１の制御部の詳細を説明するための図である。
【図３】図１の電源回路の詳細について説明するための図である。
【図４】図１の電源回路における電源バックアップ方法を説明するためのフローチャートである。
【符号の説明】
【００４１】
１  ラベル
２  台紙
３  ラベル連続体
４  供給軸
５  印字ヘッド
６  プラテンローラ
７  ステッピングモータ
８  ベルト
９  用紙検出センサ
９ａ  発光部
９ｂ  受光部
１０  制御部
１４  モータ制御部
１５  印字制御部
１６  センサ制御部
１７  電源入力回路
１８  外部インタフェース
１９  インタフェース
２０  入力部
２１  モニタ
３０  電源回路
３１  通常電源
３２  供給電源切替回路
３３  バックアップロジック
３４  バックアップ一次電池
３５  切替スイッチ
３６  バックアップ電源監視回路
３７  バックアップ二次電池
３８  充電回路
【図１】
2008259315.tif 000003
【図２】
2008259315.tif 000004
【図３】
2008259315.tif 000005
【図４】
2008259315.tif 000006